(57)【特許請求の範囲】
【請求項１】
送話側にカメラと内蔵アンテナ部が内蔵されているカメラ内蔵端末であって、
前記カメラの周辺に段差が設けられ、
前記段差は、前記カメラの撮影時に撮影者の指が前記カメラのレンズに触れるのを防止する段差であって、前記カメラのレンズと前記内蔵アンテナ部との間に設けられ、
コの字型形状または凸凹形状の第１の段差と、
前記カメラのレンズの縁周辺に凸凹形状の第２の段差と、が設けられていることを特徴とするカメラ内蔵端末。
【発明の詳細な説明】
【技術分野】
【０００１】
本発明は、カメラ撮影時における指掛かりを防止するカメラ内蔵端末およびカメラ内蔵端末の製造方法に関する。
【背景技術】
【０００２】
近年、折り畳み式携帯電話機において、装置薄型化等の形状多様化に伴って、送話側のヒンジ部付近背面にカメラ機能を有する折り畳み式携帯電話機が存在する。
【０００３】
この送話側にカメラ機能を有する事により、ユーザがカメラ撮影時にシャッターボタン及び手振れ防止を行う為に、送話側筐体全体を手で保持する行動を取る事がある。
【０００４】
上記折畳み式携帯電話機について、図５を用いて説明する。図５は、従来の折畳み式携帯電話機の一例を示したものである。
【０００５】
従来の折り畳み式携帯電話機１１は、送話側１２、カメラ機能１３、および、カメラレンズ１４を有する。
【０００６】
カメラ機能１３は、送話側１２に有することで、ユーザがカメラ撮影時にシャッターボタン及び手振れ防止を行う為に、送話側１２筐体全体を手で保持する行動を取ることがある。
【０００７】
この様な時、保持している指が無意識にカメラレンズ１４に触れてしまう事で、被写体に指が写ってしまう。
【０００８】
この改善として、カメラ機能１３の使用時、指が掛かりにくい構造が必須となっている。
【０００９】
これに関連する技術を次に開示する。
【００１０】
特許文献１のカメラは、カメラボディの全面に撮影レンズを配置したカメラにおいて、前記撮影レンズとカメラ側部との間に、指で知覚しえる大きさの凹溝を形成し、この凹溝を弾性シートで被覆していることが開示されている。これは、撮影レンズや測距用レンズに指がかかるのを防止することを目的としている。
【００１１】
特許文献２のカメラは、撮影レンズの前方を摺動して開閉動作を行うスライドカバーを有し、スライドカバーを開閉させるための指掛かり部をスライドカバーの開放方向上流側に設け、指掛かり部を撮影者の指先が撮影レンズを保持するレンズ鏡胴と接触しない形状及び位置に設けたことが開示されている。これは、開放時に突出してくるレンズ鏡胴を指先で押さえて故障させたり、撮影レンズに触れないようにすることを目的としている。
【００１２】
特許文献３の携帯電話機は、金属部材を多用するのではなく、携帯電話機の中で注目されやすく、かつ、損傷しやすい背面の表示画面や写真撮影機構のレンズなどの部品の周囲にのみに金属プレートを配設し、この金属プレートを単に配設するのではなく、その近傍の上側筐体などの部材に対して窪んだ状態となるように配置し、更に、金属プレートの外周部や開口部、切り欠き部などの端部を上側筐体側に落とし込んだり折り曲げる等の加工を施すことが開示されている。これは、デザイン性に優れ、損傷しやすい部品を有効に保護することができ、安全性が確保された折り畳み構造の携帯電話機を実現することを目的としている。
【００１３】
特許文献４のデジタルカメラは、集光部、発光部、レリーズシャッタ部を含み、集光部の周囲に、撮影者の指を係止させて集光部の表面に撮影者の指が触れるのを防止する接触防止手段を設ける。よって、撮影時に、指がレンズの表面に触れてしまうのを防ぐことが可能になり、集光部の表面が汚れてしまうことを防ぐことが開示されている。
【特許文献１】実開昭６２−１５６９２５号公報
【特許文献２】特開２００２−２７７９２８号公報
【特許文献３】特開２００６−１６６０３３号公報
【特許文献４】特開２００７−３１０００１号公報
【発明の開示】
【発明が解決しようとする課題】
【００１４】
しかしながら、特許文献１に関しては、レンズと、カメラ側部との間に、凹溝が配置されているが、携帯電話機において、ユーザがカメラ撮影する際にシャッターボタン及び手振れ防止を行うことを目的としたものではない。特許文献２も同様に、携帯電話機において、ユーザがカメラ撮影する際にシャッターボタン及び手振れ防止を行うことを目的としたものではない。特許文献３においては、上述したように、デザイン性に優れ、損傷しやすい部品を有効に保護することを目的としている。特許文献４においては、デジタルカメラに接触防止手段を設けることが記載されているが、これをカメラ機能付きの携帯電話機に転用したとしても、カメラ撮影時において、課題が生じる。
【００１５】
このように、上述した特許文献１から特許文献４は、携帯電話機において、送話側のヒンジ部付近背面にカメラ機能を有し、ユーザがカメラ撮影時にシャッターボタン及び手振れ防止を行うことを目的としたものではなく、アンテナ部分と、カメラ部分との間に段差を設けることは、示唆されていなく、これによる効果は示唆されていない。
【００１６】
本発明では、携帯電話機のカメラの周辺に段差が設けられているカメラ内蔵端末およびカメラ内蔵端末の製造方法を提供することを目的とする。
【課題を解決するための手段】
【００１７】
上記の目的を達成するため、本発明のカメラ内蔵端末は、送話側にカメラと内蔵アンテナ部が内蔵されているカメラ内蔵端末であって、前記カメラの周辺に段差が設けられ、前記段差は、前記カメラの撮影時に撮影者の指が前記カメラのレンズに触れるのを防止する段差であって、前記カメラのレンズと前記内蔵アンテナ部との間に設けられ、コの字型形状または凸凹形状の第１の段差と、前記カメラのレンズの縁周辺に凸凹形状の第２の段差と、が設けられていることを特徴とする
【発明の効果】
【００１９】
本発明によれば、折り畳み式携帯電話機の送話側の内蔵アンテナ部に、段差を設け、カメラ撮影時にカメラレンズに触れにくい構造を有する汎用性の高い構造を持つカメラ内蔵端末およびカメラ内蔵端末の製造方法を提供することが可能となる。
【発明を実施するための最良の形態】
【００２０】
本発明のカメラ内蔵端末は、ユーザビリティ向上を目的とし、カメラ搭載部周辺に内蔵アンテナ部の『コ』の字形状段差を設けることで、カメラ撮影時に指が掛かることなく、問題なく撮影を行うことが可能となる。
【００２１】
上述した本発明のカメラ内蔵端末を以下の実施形態を用いて詳細に説明する。
以下の実施の形態は、本発明を好適もしくは最良に実施する形態であって、これに限定されることはなく、当業者が容易に想到できる範囲内において、修正、変形可能とする。
【００２２】
（第１の実施形態）
第１の実施形態にかかるカメラ内蔵端末について図１および図２を用いて説明する。
図１は、本実施形態にかかるカメラ内蔵端末の構成の一例を示す全体図である。
図２は、本実施形態にかかるカメラ内蔵端末の構成の一例を示す斜視図である。
【００２３】
本実施形態では、携帯電話機として、折畳み式携帯電話機１を適用しているが、折畳み式でなくても、ストレート式の携帯電話機であっても、本発明は、達成される。
【００２４】
図１に示すように、本実施形態の折畳み式携帯電話機１は、送話側２、カメラ機能３、カメラレンズ４、内蔵アンテナ部５、および、『コ』の字形状段差６を有する。
【００２５】
図２の斜視図では、内蔵アンテナ部５の『コ』の字形状段差６を把握し易いように図示している。
【００２６】
本実施形態の折畳み式携帯電話機１は、内蔵アンテナ部５、および、『コ』の字形状段差６を有する。
【００２７】
図に示すように、段差は、内蔵アンテナ部５と、カメラ機能３を有する部分との間にある構造である。
【００２８】
段差は、図に示すように、『コ』の字形状段差であることが好ましいが、これに限定されることはなく、本発明の目的を達成するのには、内蔵アンテナ部５と、カメラ機能３を有する部分との間に段差を有する構造であればよく、『コ』の字形状以外でも本発明は、達成される。
【００２９】
カメラ機能３は、送話側２に有することで、ユーザがカメラ撮影時にシャッターボタンおよび手振れ防止を行う為に、送話側２筐体全体を手で保持する行動を取ることがある。
【００３０】
この様な時、保持している指が無意識にカメラレンズ４に触れてしまうことで、被写体に指が写ってしまう。
【００３１】
しかしながら、本実施形態の折畳み式携帯電話機１は、内蔵アンテナ部５、および、『コ』の字形状段差６を有することによって、本実施形態の折畳み式携帯電話機１は、カメラ撮影時に、指が掛かりにくいという形状をとる。
【００３２】
このように、本実施形態の折畳み式携帯電話機１は、内蔵アンテナ部５、および、『コ』の字形状段差６を有することによって、本実施形態の折畳み式携帯電話機１は、カメラ撮影時に、指が掛かりにくいという形状をとることで、ユーザビリティが向上し、汎用性の高い構造を有する。
【００３３】
（第２の実施形態）
第２の実施形態にかかるカメラ内蔵端末について図３および図４を用いて説明する。
図３は、本実施形態にかかるカメラ内蔵端末の構成の一例を示す全体図である。
図４は、本実施形態にかかるカメラ内蔵端末の構成の一例を示す斜視図である。
【００３４】
本実施形態では、携帯電話機として、折畳み式携帯電話機１を適用しているが、折畳み式でなくても、ストレート式の携帯電話機であっても、本発明は、達成される。
【００３５】
図３に示すように、本実施形態の折畳み式携帯電話機１は、送話側２、カメラ機能３、カメラレンズ４、内蔵アンテナ部５、『コ』の字形状段差６、カメラレンズの縁周囲７、および、凹凸８を有する。
【００３６】
図４の斜視図では、内蔵アンテナ部５の『コ』の字形状段差６を把握し易いように図示している。
【００３７】
図に示すように、段差は、内蔵アンテナ部５と、カメラ機能３を有する部分との間にある構造である。
【００３８】
段差は、図に示すように、『コ』の字形状段差であることが好ましいが、これに限定されることはなく、本発明の目的を達成するのには、内蔵アンテナ部５と、カメラ機能３を有する部分との間に段差を有する構造であればよく、『コ』の字形状以外でも本発明は、達成される。
【００３９】
カメラ機能３は、送話側２に有することで、ユーザがカメラ撮影時にシャッターボタンおよび手振れ防止を行う為に、送話側２筐体全体を手で保持する行動を取ることがある。
【００４０】
この様な時、保持している指が無意識にカメラレンズ４に触れてしまうことで、被写体に指が写ってしまう。
【００４１】
しかしながら、本実施形態の折畳み式携帯電話機１は、内蔵アンテナ部５、および、『コ』の字形状段差６を有することによって、本実施形態の折畳み式携帯電話機１は、カメラ撮影時に、指が掛かりにくいという形状をとる。
【００４２】
このように、本実施形態の折畳み式携帯電話機１は、内蔵アンテナ部５、および、『コ』の字形状段差６を有することによって、本実施形態の折畳み式携帯電話機１は、カメラ撮影時に、指が掛かりにくいという形状をとることで、ユーザビリティが向上し、汎用性の高い構造を有する。
【００４３】
本実施形態の折畳み式携帯電話機１では、第１の実施形態の折畳み式携帯電話機１の構成において、カメラレンズの縁周囲７に、被写体の撮影の邪魔にならない構造上の凹凸８を配置している。
【００４４】
本実施形態の折畳み式携帯電話機１では、形状および大きさや、カメラの位置は限定しておらず、『コ』の字形状の様な段差の中にカメラ搭載（レンズ）を含むか、もしくはカメラレンズの縁周囲７に、被写体の撮影の邪魔にならない構造上の凹凸８を配置する。
【００４５】
このように、本実施形態の折畳み式携帯電話機１では構造上の凹凸８を配置することで、ユーザがカメラレンズ位置を確認しなくとも（実際に触れなくても）、指がレンズに近づくことで、レンズが近くにあることを認識が出来、同様のユーザビリティ向上が可能である。
【図面の簡単な説明】
【００４６】
【図１】第１の実施形態におけるカメラ内蔵端末の構成の一例を示す全体図である。
【図２】第１の実施形態におけるカメラ内蔵端末の構成の一例を示す斜視図である。
【図３】第２の実施形態におけるカメラ内蔵端末の構成の一例を示す全体図である。
【図４】第２の実施形態におけるカメラ内蔵端末の構成の一例を示す斜視図である。
【図５】従来におけるカメラ内蔵端末の構成の一例を示す図である。
【符号の説明】
【００４７】
１    式携帯電話機
２    送話側
３    カメラ機能
４    カメラレンズ
５    内蔵アンテナ部
６    『コ』の字形状段差
７    カメラレンズの縁周囲
８    凹凸
【図１】
0005088230.tif 000002
【図２】
0005088230.tif 000003
【図３】
0005088230.tif 000004
【図４】
0005088230.tif 000005
【図５】
0005088230.tif 000006